(57)【特許請求の範囲】
【請求項１】
容器体２０の口頚部２１に嵌合させる装着筒３により下端を容器体内に垂下した状態で固定させるシリンダ２と、該シリンダ内に摺動可能に嵌合させた環状ピストン２８を下端に連携させて上端をシリンダ上方へ上下動可能に突出させたステム２９と、該ステム上端に嵌着させたノズル３０付き押し下げヘッド３１と、上記環状ピストン２８，ステム２９，押し下げヘッド３１とで構成される作動部材５を常時上方へ付勢させるコイルスプンリグ６とを備え、上記作動部材５の上下動により装着した容器体内の液を吸い上げてノズル３０より噴出する如く構成するとともに、コイルスプンリグ６の上方付勢力に抗して押し下げた作動部材をシリンダ内上端部に螺着係止可能に構成した液体噴出ポンプに於いて、上記コイルスプンリグ６を作動部材５の螺着回動方向と逆巻きに構成したことを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、容器体の口頚部外周に嵌合させる装着筒により下端を容器体内に垂下した状態で固定させるシリンダと、該シリンダ内に嵌合させた環状ピストンを下端に連携させて上端をシリンダ上方へ上下動可能に突出さたステムと、ステム上端に嵌着させたノズル付き押し下げヘッドと、上記環状ピストン，ステム，ノズル付き押し下げヘッドから構成される作動部材を常時上方へ付勢させるコイルスプリングとを備え、作動部材を上下動させることにより、容器体内の液を吸い上げてステムよりノズルを介して噴出する如く構成したものが知られている。
【０００３】
これらはまた、作動部材をコイルスプリングの上方付勢力に抗して押し下げた際に、作動部材をシリンダ内上端部に螺着係止可能に構成し、運搬，保管等の不使用時にはコンパクトな状態で行える如く構成している。
【０００４】
【発明が解決しようとする課題】
従来の此の様なポンプ於いて、作動部材の螺着は一般に右螺子（時計回りに回動螺着させる）に構成しており、また、コイルスプリングも右巻きのもの（上部基端から時計回りに回動下降する螺旋状に形成したもの）が使用されている。
従って、作動部材を螺着係止させる際に、コイルスプリングの上端面が回動方向と逆方向に向き、コイルスプリングの上端係止部分或いは下端係止部分の作動部材或いはシリンダ等を損傷するという不都合を生じる場合がある。
【０００５】
本発明はこの様な点を考慮して、作動部材の螺着に際して、コイルスプリングによるその上下端当接部位の損傷の可能性を極力無くし、しかも、簡単な構造の変更でこの様な効果を発揮できる優れた液体噴出ポンプを提案するものである。
【０００６】
【課題を解決するための手段】
本請求項１発明のポンプは上記課題を解決するため、容器体２０の口頚部２１に嵌合させる装着筒３により下端を容器体内に垂下した状態で固定させるシリンダ２と、該シリンダ内に摺動可能に嵌合させた環状ピストン２８を下端に連携させて上端をシリンダ上方へ上下動可能に突出させたステム２９と、該ステム上端に嵌着させたノズル３０付き押し下げヘッド３１と、上記環状ピストン２８，ステム２９，押し下げヘッド３１とで構成される作動部材５を常時上方へ付勢させるコイルスプンリグ６とを備え、上記作動部材５の上下動により装着した容器体内の液を吸い上げてノズル３０より噴出する如く構成するとともに、コイルスプンリグ６の上方付勢力に抗して押し下げた作動部材をシリンダ内上端部に螺着係止可能に構成した液体噴出ポンプに於いて、上記コイルスプンリグ６を作動部材５の螺着回動方向と逆巻きに構成したことを特徴とする液体噴出ポンプとして構成した。
【０００７】
【発明の実施の形態】
以下、本発明の実施例の形態を図面を参照して説明する。
図面は本発明の一実施例を示し、本発明ポンプ１は、シリンダ２と、装着筒３と、係止部材４と、作動部材５と、コイルスプンリグ６とを備えている。
【０００８】
シリンダ２は、上下端を開口した筒状で、外周上部よりフランジ７を突設し、下端部は縮径してパイプ嵌合様の嵌合筒部８に構成し、該筒部内に上端を嵌着させたパイプ９を容器体内下端部に垂下させる。また、嵌合筒部８内上部には弁座１０及び該弁座上に載置させた玉状弁体１１よりなる吸い込み弁１２を設けており、筒壁上部には外気導入用の吸気孔１３を穿設している。
【０００９】
また、シリンダ２内には、シリンダ内の液の流動性を良くする等の目的で、棒状部材１４を設けている。この棒状部材は、シリンダ２の底壁に下端の筒部１５下面を載置し、筒部１５外面下端からはシリンダ内面に外周縁を嵌合させた短いフランジ１６を突設し、更に、筒部１５には内外を連通させる連通孔１７を穿設している。また、筒部１５の頂板上面からはシリンダ内上部に至る棒状部１８を立設している。また、筒部頂板裏面中央からは吸い込み弁１２の玉状弁体１１の上下動を規制する棒状突起１９を垂設している。
【００１０】
装着筒３は、ポンプを装着する容器体２０の口頚部２１外周に嵌合させることにより、下端を容器体内に垂下させた状態でシリンダ２を容器体に固定させるためのもので、本実施例では、上端より内方へ取り付け用のフランジ２２を突設して構成し、該フランジをシリンダ２の上記フランジ７上面に回動可能に嵌合させ、また、シリンダ上端に嵌着させた係止部材４により抜け出しの防止を図り、シリンダに対して回動可能に設けている。
【００１１】
係止部材４は、シリンダ２の筒壁上端外周に凹凸係合手段を介して抜け出し不能に嵌合させた嵌合筒２３を頂板２４裏面より垂設するとともに、頂板中央に後述するステムを貫通させるための案内筒２５を貫設し、該案内筒の外面下部をシリンダ２内面上部に密接嵌合し、案内筒２５外面上部とシリンダの内面上端間に回り止め２６を形成している。また、案内筒２５内面上部には螺条ａを周設している。そして、シリンダ２を容器体２０内に挿入して、そのフランジ７をパッキン２７を介して口頚部２１上面に載置させ、装着筒３を嵌合させて固定する。
【００１２】
作動部材５は環状ピストン２８と、ステム２９と、ノズル３０付き押し下げヘッド３１とを備えている。
環状ピストン２８はエラストマー等の比較的柔軟で弾力性に富む材質により形成されたもので、本実施例では断面Ｈ状をなし、シリンダ２内面に外周縁の円弧板状部上下端を摺動可能に嵌合させている。
【００１３】
また、ステム２９は、シリンダ内と連通してその中の液をその上方の押し下げヘッド３１に導入させるための導管で、上下端を開口した筒状をなし、その下端部を、ピストン２８内周縁の筒部外側面上部に嵌着固定させ、上端を上記案内筒２５上方に突出させて上下動可能に装着している。また、ステム２９内上部には、弁座３２及び玉状弁体３３とからなる吐出弁３４を設けている。
【００１４】
押し下げヘッド３１はステム２９より導入された液を前端のノズル３０より噴出するとともに、押し下げて内部のポンプ機構を作動させるためのもので、上記ステム２９外周上端に下端を嵌合させた縦筒３５を頂壁３６裏面より垂設するとともに、縦筒３５上部と基端を連通させてノズル３０を前方へ突出して構成している。また、縦筒３５の下部外周には上記案内筒２５内面の螺条ａと螺合する螺条ｂを周設し、作動部材５を押し下げた状態で螺着係止可能に構成している。本実施例では各螺条を右螺子に構成し、即ち、作動部材５を時計回りに回動することにより螺着する如く構成している。
【００１５】
コイルスプンリグ６は金属等により形成され、上記作動部材５を常時上方へ付勢させるためのもので、上記棒状部材１４のフランジ１６上面と、環状ピストン２８の下面との間に介在させている。本発明では、このコイルスプンリグ６を作動部材５の螺着回動方向と逆巻きに構成したものを使用する。即ち、作動部材５の螺着回動方向は上記した右回りであるため、図３に示す如き左巻きのものを使用する。左巻きとは、その上端から時計回りと反対方向に回動下降する螺旋状に形成したもので、本実施例では、上端部及び下端部を２巻程度密に構成している。
【００１６】
この様なコイルスプンリグ６を設けることにより、作動部材を係止部材４に螺着係止させる際、環状ピストン２８下面はコイルスプンリグ６の端面の向きと同方向に回動するため、端面が引っ掛かる等の不都合を生じない様に構成している。尚、作動部材５の係止状態から螺脱する際には回動方向に向かって端面が位置するが、ピストン２８は順次回動上昇するため、端面が引っ掛かる等の不都合は生じない。
【００１７】
上記の如く構成したポンプ１は、容器体２０に装着して使用するが、図１に示す如き状態からヘッド３１を押し下げると、シリンダ２内の液が加圧されて吐出弁３４が開き、ノズル３０より外部に噴出する。また、ヘッド３１の押圧を解除するコイルスプンリグ６の弾発力により作動部材５が上昇し、シリンダ２内が負圧するため、吐出弁３４が閉じ、吸い込み弁１２が開いて容器体内の液がパイプ９を介してシリンダ２内に導入される。
【００１８】
尚、本実施例では、作動部材５が最上昇位置にある場合に、環状ピストン２８内周縁の筒部上端縁が棒状部材１４の棒状部１８上端外周に周設した突条下面に密接シールされ、また、作動部材５の押し下げ係止状態では、図２に示す如く、環状ピストンの上記筒部下端面が棒状部材１４の筒部頂板上面に密接シールされる如く構成している。
また、上記実施例において、特に断りのない限り、各部材は合成樹脂により形成すると良い。
また、本発明は上記実施例に限定されるものではなく、作動部材を螺着係止させ、また、その作動部材をコイルスプリングにより上方付勢させる構造のものであれば、その具体的構成が異なるものであっても採用できる。
【００１９】
【発明の効果】
以上説明した如く本発明液体噴出ポンプは、作動部材の上下動により装着した容器体内の液を吸い上げてノズルより噴出する如く構成するとともに、コイルスプリングの上方付勢力に抗して押し下げた作動部材をシリンダ内上端部に螺着係止可能に構成した押し下げヘッド式のポンプであって、コイルスプリングを作動部材の螺着回動方向と逆巻きに構成したので、運搬，保管等の不使用時に作動部材を螺着係止させる際に、コイルスプリングの端面によりその近傍の係止部分を損傷すの等の不都合を極力防止出来、しかも、コイルスプリングの巻き方向を選択するだけで良いため、従来品と比較して大きな構造の変化の必要がなく、その点に於けるコストアップを伴うことがない。
【図面の簡単な説明】
【図１】本発明の一実施例を示す半断面図である。
【図２】同実施例の作動部材の押し下げ係止状態を示す半断面図である。
【図３】同実施例のコイルスプリングの要部拡大斜視図である。
【符号の説明】
２…シリンダ，３…装着筒，５…作動部材，６…コイルスプリング，
２０…容器体，２１…口頚部，２８…環状ピストン，２９…ステム，３０…ノズル，
３１…押し下げヘッド
【図１】
0003587938.tif 000002
【図２】
0003587938.tif 000003
【図３】
0003587938.tif 000004